(57)【要約】【課題】簡単かつ確実に特定の発光色にコントロールしながら、ユーザーの目や脳に与える悪影響を防止する。【解決手段】照明装置は、異なる発光色のＬＥＤ１と、各ＬＥＤ１の発光強度を制御する制御回路２と、ＬＥＤ１のトータル発光色を入力する入力装置３を備える。入力装置３は、色度図１３を表示するカラー表示部８と、カラー表示部８に表示される色度図１３のカラーポイントＰを指定するカラーポイント指示具９と、カラーポイントＰの座標値とを検出して出力する出力回路１０とを備える。制御回路２は、ＬＥＤ１のピーク波長における最大出力を制限するリミッター信号を出力するリミッター回路５と、座標値とリミッター信号から各ＬＥＤ１の発光出力を演算する演算回路４とを備え、入力装置３から入力される座標値と、リミッター回路５から入力されるリミッター信号とで各ＬＥＤ１の発光出力を制御して、指示されるカラーポイントＰの発光色に発光させる。【選択図】図１
2015060270.tif 000002
【特許請求の範囲】
【請求項１】
異なる発光色のＬＥＤ(1)と、各ＬＥＤ(1)の発光強度を制御する制御回路(2)と、前記制御回路(2)に接続されて、各ＬＥＤ(1)の発光色が混合されたトータル発光色を入力する入力装置(3)とを備え、
前記入力装置(3)が、色度図(13)をカラーで表示してなるカラー表示部(8)と、前記カラー表示部(8)に表示してなる色度図(13)のカラーポイント(P)を指定するカラーポイント指示具(9)と、前記カラーポイント指示具(9)で指示されたカラーポイント(P)の座標値を検出して前記制御回路(2)に出力する出力回路(10)とを備え、
前記制御回路(2)は、前記ＬＥＤ(1)のピーク波長における最大出力を制限するリミッター信号を出力するリミッター回路(5)と、前記入力装置(3)から入力される座標値に加えて、前記リミッター回路(5)から出力されるリミッター信号から各ＬＥＤ(1)の発光出力を演算する演算回路(4)とを備え、
前記制御回路(2)が、前記入力装置(3)から入力される座標値と、前記リミッター回路(5)から入力されるリミッター信号とで各ＬＥＤ(1)の発光出力を制御して、各ＬＥＤ(1)のトータル発光色を、前記入力装置(3)のカラーポイント指示具(9)で指示されるカラーポイント(P)の発光色とするようにしてなる照明装置。
【請求項２】
前記入力装置(3)が用途を指定する用途入力器(7)を備え、前記リミッター回路(5)が、前記用途入力器(7)から入力される用途に対応する各ＬＥＤ(1)のリミッター信号を記憶しており、
前記用途入力器(7)で入力される用途において、前記リミッター回路(5)に記憶されるリミッター信号で各ＬＥＤ(1)の発光出力を制御する請求項１に記載される照明装置。
【請求項３】
前記入力装置(3)が前記ＬＥＤ(1)のトータル発光強度を入力する発光出力入力器(12)を備え、前記発光出力入力器(12)から入力される発光出力信号と、前記入力装置(3)から入力されるｘ値及びｙ値と、前記リミッター回路(5)から入力されるリミッター信号とで各ＬＥＤ(1)の発光出力を制御する請求項１又は２に記載される照明装置。
【請求項４】
前記ＬＥＤ(1)のトータル発光色を検出する光出力検出回路(14)を備え、前記制御回路(2)が前記光出力検出回路(14)で検出されるトータル発光色を前記入力装置(3)から入力されるカラーポイントに比較して、前記ＬＥＤ(1)のトータル発光色を前記入力装置(3)から入力されるカラーポイントに補正するフィードバック回路を備える請求項１ないし３のいずれかに記載される照明装置。
【請求項５】
前記色度図がｘｙ色度図で、座標値がｘ値とｙ値とである請求項１ないし４のいずれかに記載される照明装置。
【請求項６】
前記色度図がＵＣＳ色度図で座標値がｕ値とｖ値である請求項１ないし４のいずれかに記載される照明装置。
【請求項７】
前記カラーポイント指示具(9)が、前記カラー表示部(8)の指定領域の赤成分(R)と緑成分(G)と青成分(B)を検出するフォトセンサを備え、前記フォトセンサで検出する赤成分(R)と緑成分(G)と青成分(B)を座標値として制御回路に出力する請求項１ないし４のいずれかに記載される照明装置。
【請求項８】
前記ＬＥＤ(1)の前方に、ＬＥＤ(1)の発光を拡散する拡散板を配置してなる請求項１ないし７のいずれかに記載される照明装置。
【請求項９】
前記ＬＥＤが、赤色ＬＥＤと緑色ＬＥＤと青色ＬＥＤとを備える請求項１ないし８のいずれかに記載される照明装置。
【請求項１０】
前記ＬＥＤが、白色ＬＥＤと赤色ＬＥＤと緑色ＬＥＤと青色ＬＥＤとを備える請求項１ないし８のいずれかに記載される照明装置。
【発明の詳細な説明】
【技術分野】
【０００１】
本発明は、発光色が異なる複数のＬＥＤの発光出力をコントロールして、種々の発光色にコントロールできる照明装置に関する。
【背景技術】
【０００２】
発光色が異なる複数のＬＥＤの発光出力をコントロールして、照明として特定の発光色の光を出力する照明装置は開発されている。（特許文献１参照）【０００３】
この照明装置は、発光色が異なる複数のＬＥＤの発光出力を調整し、各々のＬＥＤからの発光色を混合することで、特定の発光色にコントロールする。たとえば、青色ＬＥＤと赤色ＬＥＤと緑色ＬＥＤの発光出力をコントロールし、青色の光と、赤色の光と、緑色の光を特定の比率で混合することで、人間の目に認識されるトータル発光色を白色とすることができる。さらに、各ＬＥＤの発光出力をコントロールすることで、フルカラーの発光色に調整することもできる。この照明装置は、トータル発光色を特定色とするために、色度座標のｘ値とｙ値を入力して、入力される色度座標の発光色に調整している。
【先行技術文献】
【特許文献】
【０００４】
【特許文献１】特開２００８−２７０８３１号公報
【発明の概要】
【発明が解決しようとする課題】
【０００５】
複数のＬＥＤの発光出力をコントロールしてトータル発光色をコントロールする照明装置は、トータル発光色を特定するために、色度座標のｘ値やｙ値を入力する必要があるので、全てのユーザーが簡単に特定の発光色に調整するのが難しい欠点がある。それは、特定の発光色を入力するために、色度座標を参考にしてｘ値とｙ値を求め、このｘ値とｙ値を入力するからである。【０００６】
本発明の第１の目的は、以上の欠点を解決すること、すなわち、全てのユーザーが簡単かつ容易に、しかも確実に特定の発光色にコントロールできる照明装置を提供することにある。【０００７】
照明装置の発光色は、色度座標のｘ値とｙ値等の座標値を特定して調整できる。ただ、発光色を調整するために、各ＬＥＤの発光出力を制御すると、何れかのＬＥＤのピーク出力が大きくなって、ユーザーの目や脳に与える刺激が強くなって種々の弊害を与えることがある。この状態において、ユーザーは、トータル発光色として認識するので、目や脳の傷害を認識できない弊害がある。【０００８】
本発明の第２の目的は、以上の欠点、すなわち、ユーザーの目や脳に与える悪影響を防止しながら特定の発光色にコントロールできる照明装置を提供することにある。
【課題を解決するための手段及び発明の効果】
【０００９】
本発明の照明装置は、異なる発光色のＬＥＤ１と、各ＬＥＤ１の発光強度を制御する制御回路２と、この制御回路２に接続されて、各ＬＥＤ１の発光色が混合されたトータル発光色を入力する入力装置３とを備える。入力装置３は、色度図１３をカラーで表示してなるカラー表示部８と、このカラー表示部８に表示される色度図１３のカラーポイントＰを指定するカラーポイント指示具９と、このカラーポイント指示具９で指示されたカラーポイントＰの座標値を検出して制御回路２に出力する出力回路１０とを備える。制御回路２は、ＬＥＤ１のピーク波長における最大出力を制限するリミッター信号を出力するリミッター回路５と、入力装置３から入力される座標値に加えて、リミッター回路５から出力されるリミッター信号から各ＬＥＤ１の発光出力を演算する演算回路４とを備える。照明装置は、制御回路２でもって、入力装置３から入力されるｘ値とｙ値と、リミッター回路５から入力されるリミッター信号とで各ＬＥＤ１の発光出力を制御して、各ＬＥＤ１のトータル発光色を、入力装置３のカラーポイント指示具９で指示されるカラーポイントＰの発光色を発光させる。
【００１０】
以上の照明装置は、全てのユーザーが簡単かつ容易に、しかも確実にトータル発光色を特定の発光色にコントロールして使用できる特徴がある。それは、以上の照明装置が、トータル発光色を特定するカラーポイントのｘ値やｙ値等の座標値を入力することなく、カラーで表示される色度図のカラーポイントを指示して、指示されるカラーポイントの発光色にトータル発光色を調整するからである。
【００１１】
また、以上の照明装置は、ユーザーの目や脳に与える悪影響を防止しながら、指定されるカラーポイントの発光色にコントロールできる特徴がある。それは、以上の照明装置が、ＬＥＤのピーク波長における最大出力を制限するリミッター信号を出力するリミッター回路を備え、カラーポイントを示すｘ値とｙ値等の座標値に加えて、リミッター回路から出力されるリミッター信号の両方で各ＬＥＤの発光出力をコントロールして、トータル発光色を特定のカラーポイントにコントロールするからである。
【００１２】
本発明の照明装置は、用途を指定する用途入力器７を入力装置３に設け、リミッター回路５には用途入力器７から入力される用途に対応する各ＬＥＤ１のリミッター信号を記憶し、用途入力器７で入力される用途において、リミッター回路５に記憶されるリミッター信号で各ＬＥＤ１の発光出力を制御することができる。
この照明装置は、用途に最適な状態でユーザーの目や脳の刺激を防止しながら、トータル発光色を指示されるカラーポイントにコントロールできる特徴がある。
【００１３】
本発明の照明装置は、ＬＥＤ１のトータル発光強度を入力する発光出力入力器１２を入力装置３に設け、この発光出力入力器１２から入力される発光出力信号と、入力装置３から入力される座標値と、リミッター回路５から入力されるリミッター信号とで各ＬＥＤ１の発光出力を制御することができる。
この照明装置は、トータル発光色の発光出力をユーザーに最適な強度にコントロールしながら、トータル発光色を指示されるカラーポイントにできる特徴がある。
【００１４】
本発明の照明装置は、ＬＥＤ１のトータル発光色を検出する光出力検出回路１４を設け、制御回路２には光出力検出回路１４で検出されるトータル発光色を入力装置３から入力されるカラーポイントに比較して、ＬＥＤ１の発光色を入力装置３から入力されるカラーポイントに補正するフィードバック回路を設けることができる。この照明装置はＬＥＤ１のトータル発光色を光出力検出回路１４で検出して入力装置３から入力されるカラーポイントに補正するので、ＬＥＤのトータル発光色をより正確になカラーポイントを特定するｘ値やｙ値等の座標値にできる。また、複数のＬＥＤを点灯する装置にあっては、何れかのＬＥＤが点灯せず、あるいは何れかのＬＥＤの発光出力が低下する等の状態、あるいは又、照明装置が光りを照射する部分に外部から光が入射される状態においても、指定された発光強度と、トータル発光色を入力装置３で指定されるカラーポイントにできる特徴がある。
【００１５】
本発明の照明装置は、色度図をｘｙ色度図として、座標値をｘ値とｙ値とすることができ、また、色度図をＵＣＳ色度図として座標値をｕ値とｖ値とすることもできる。
【００１６】
本発明の照明装置は、カラーポイント指示具９に、カラー表示部８の指定領域の赤成分Ｒと緑成分Ｇと青成分Ｂを検出するフォトセンサを設け、このフォトセンサで検出する赤成分Ｒと緑成分Ｇと青成分Ｂを座標値として制御回路２に出力することができる。この照明装置は、カラーポイント指示具から赤成分Ｒと緑成分Ｇと青成分Ｂを出力するので、制御回路の演算回路で、色度図のｘ値とｙ値，あるいはＵＶアドレスなどからＲＧＢに変換することなく、カラーポイント指示具のＲＧＢ出力から演算して、各ＬＥＤの発光出力を特定して各ＬＥＤを発光できる。
【００１７】
本発明の照明装置は、ＬＥＤ１の前方に、ＬＥＤ１の発光を拡散する拡散板を配置することができる。この照明装置は、ＬＥＤの発光を拡散板で拡散するので、発光を均一でき、またＬＥＤを見て目を刺激するのを防止できる。
【図面の簡単な説明】
【００１８】
【図１】本発明の一実施の形態にかかる照明装置の概略構成図である。
【図２】図１に示す照明装置のカラー表示部の他の一例を示す正面図である。
【図３】本発明の一実施の形態にかかる照明装置の概略構成図である。
【図４】図３に示す照明装置のカラー表示部の他の一例を示す正面図である。
【発明を実施するための形態】
【００１９】
以下、本発明の実施例を図面に基づいて説明する。ただし、以下に示す実施例は、本発明の技術思想を具体化するための照明装置を例示するものであって、本発明は照明装置を以下のものに特定しない。さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２０】
図１の照明装置は、発光色が異なる複数のＬＥＤ１と、各発光色のＬＥＤ１の発光強度を制御する制御回路２と、この制御回路２に制御されて発光する全てのＬＥＤ１のトータル発光色のカラーポイントを入力する入力装置３と、発光される複数のＬＥＤ１のトータル発光色を検出する光出力検出回路１４とを備える。この照明装置は、制御回路２で各ＬＥＤ１の発光出力をコントロールして、複数のＬＥＤ１のトータル発光色を、入力装置３から入力されるカラーポイントに制御する。さらに、以上の照明装置は、複数のＬＥＤ１のトータル発光色を光出力検出回路１４で検出して制御回路２にフィードバックするので、複数のＬＥＤ１のトータル発光色を正確にカラーポイントの発光色にできる。ただ、本発明の照明装置は、必ずしも光出力検出回路を設ける必要はなく、制御回路で各ＬＥＤの発光出力をコントロールして、入力装置から入力されるカラーポイントにトータル発光色を制御することもできる。
【００２１】
異なる発光色のＬＥＤ１は、赤色ＬＥＤ１ａと緑色ＬＥＤ１ｂと青色ＬＥＤ１ｃ、すなわち赤緑青（ＲＧＢ）のＬＥＤからなる。ＬＥＤ１をＲＧＢの三原色のＬＥＤとする照明装置は、各ＬＥＤ１の発光出力をコントロールしてトータル発光色をフルカラーにできる。ただ、本発明の照明装置は、必ずしもＬＥＤをＲＧＢの三原色のＬＥＤとする必要はなく、たとえば、図３と図４に示すように、白色ＬＥＤ１ｄと他の発光色のＬＥＤ、たとえば青色ＬＥＤ１ｃ、緑色ＬＥＤ１ｂ、赤色ＬＥＤ１ａとを組み合わせて、トータル発光色を白色から青色に、あるいは白色から緑色に、あるいは又白色から赤色に近い発光色とすることもできる。
【００２２】
図１の照明装置は、ＲＧＢのＬＥＤ１を複数のＬＥＤで構成して、すなわち複数の赤色ＬＥＤ１ａと、複数の緑色ＬＥＤ１ｂと、複数の青色ＬＥＤ１ｃとで構成して、トータル発光出力を大きくしている。この照明装置は、各発光色のＬＥＤ１の個数を多くして、トータル発光出力を大きくできる。図の照明装置は、複数の青色ＬＥＤ１ｃと、複数の緑色ＬＥＤ１ｂと、複数の赤色ＬＥＤ１ａとで構成して、発光出力を大きくしている。照明装置の発光出力は用途に最適な値に調整される。したがって、各発光色のＬＥＤ１は、用途に最適な個数として、発光出力を最適値にコントロールする。同じ発光色のＬＥＤ１を複数のＬＥＤ１で構成する照明装置は、各発光色のＬＥＤ１の発光出力が必ずしも同じではないので、各発光色のＬＥＤ１の個数を異なる数として、発光出力を最適バランスにコントロールできる。
【００２３】
ＬＥＤ１の前方には拡散板１９を配置している。拡散板１９は、紙、ガラス、プラスチック、プラスチックフィルムなどで構成されるフィルターで、ＬＥＤ１の透過光を拡散して前方に照射する。拡散板１９は表面に微細な凹凸、あるいは内部に拡散物質を充填し、あるいは内部に歪などを設けて透過する光を拡散する。ＬＥＤ１の発光を拡散板１９で拡散して照射する照明装置は、光を均一に分散して照射できる。また、ユーザーがＬＥＤを見て目を刺激することがない等の特徴がある。拡散板１９は、発光出力の用途によっては取り外すこともできる。
【００２４】
複数のＬＥＤ１のトータル発光色、すなわち、ＲＧＢのＬＥＤ１の発光の混合された光をユーザーが目で見て感じる発光色は、入力装置３で指定されるカラーポイントＰの発光色に調整される。制御回路２は、このことを実現するように、各ＬＥＤ１の発光出力をコントロールする。したがって、制御回路２は、入力装置３から入力されるカラーポイントＰのｘ値やｙ値等の座標値から、各ＬＥＤ１の発光出力を演算する演算回路４を備える。演算回路４で演算される発光出力で各発光色のＬＥＤ１を発光させる。図に示す制御回路２は、演算回路４に表示部１５を接続している。表示部１５は、ＬＥＤ１のトータル発光色の座標値であるｘ値とｙ値、あるいはｕ値とｖ値を表示し、あるいはＲＧＢのＬＥＤ１の発光強度を表示する。色度図をｘｙ色度図とする装置にあっては、ｘ値とｙ値とを表示し、色度図をＵＣＳ色度図とする装置にあってはｕ値とｖ値を座標値として表示する。さらに、表示部１５は、ＲＧＢに発光する各々のＬＥＤ１ａ、１ｂ、１ｃの出力を表示することもできる。
【００２５】
さらに、表示部１５の表示をユーザーが見て入力装置３で変更して、変更する制御データを演算回路を介してドライバー回路に出力して、各ＬＥＤの出力をコントロールすることもできる。さらに、表示部にサブ入力装置（図示せず）を設け、このサブ入力装置で表示を変更して、変更する制御データを演算回路を介してドライバー回路に出力して、各ＬＥＤの出力をコントロールすることもできる。この照明装置は、表示部１５で変更された制御データを、入力装置３に伝送して、現在の制御データに当たる表示ポインを点灯して表示することもできる。表示部１５は、各ＬＥＤが発光する発光色の色相、明度、彩度等を表示することもできる。
【００２６】
以下の実施例は、色度図をｘｙ色度図とするが、本発明の照明装置は、色度図をＵＣＳ色度図とすることができる。色度図をＵＣＳ色度図とする装置は、座標値がｕ値とｖ値となるが、ｕ値とｖ値は、ｘ値とｙ値から既に知られている特定の式で演算することができる。
【００２７】
光出力検出回路１４は、複数のＬＥＤ１を点灯する状態でＬＥＤ１のトータル発光色を検出して、検出する発光色の信号、すなわちＲＧＢ信号の値、あるいはｘ値とｙ値、および輝度信号の値に変換して制御回路２にフィードバックすることもできる。
【００２８】
さらに、制御回路２は、入力装置３から入力されるカラーポイントのみを演算して、各ＬＥＤ１の発光出力をコントロールするのではない。制御回路２は、入力装置３から入力される各ＬＥＤの発光強度とカラーポイントに加えて、各発光色のＬＥＤ１のピーク波長における最大出力を制限するリミッター回路５も備える。リミッター回路５は、演算回路４にリミッター信号を出力する。
【００２９】
演算回路４はメインＣＰＵを内蔵し、メインＣＰＵはアドレスバスやデーターバス、および割り込み制御線などの接続ラインを介して、光出力検出回路１４、ドライバー回路６、表示部１５、リミッター回路５、インターフェース回路１７、シーンメモリ１６、入力装置３の出力回路１０、カラー表示部８、カラーポイント指示具９、発光出力入力部回路１２、用途入力器７などに内蔵しているサブＣＰＵに接続される。演算回路のメインＣＰＵは、各々のサブＣＰＵのアドレスバス、データバス、割り込み線に接続されて双方向のデータ制御を行う。ただし、各回路にはサブＣＰＵを設けることなく、演算回路に設けてメインＣＰＵから信号で各回路をコントロールすることもできる。
【００３０】
演算回路４は、入力装置３から入力されるカラーポイントＰを示す座標値と、リミッター回路５から入力されるリミッター信号の両方を演算して、各ＬＥＤ１の発光出力を特定する制御データを演算し、この制御データをドライバー回路６に出力して各ＬＥＤ１を所定の出力で発光させる。演算回路４に入力される座標値は、ｘｙ色度図のｘ値とｙ値、ＵＣＳ色度図のｕ値とｖ値、あるいは、フォトセンサで検出する赤成分(R)と緑成分(G)と青成分(B)である。
【００３１】
リミッター回路５は、複数の用途に対応して各ＬＥＤ１の最大出力を制限するリミッター信号を記憶している。本発明の照明装置は、発光色の異なるＬＥＤ１の発光出力を調整し、各ＬＥＤ１の発光をユーザーが目で見て指定するカラーポイントＰの発光色の光として認識する。この状態で、ユーザーは、照明装置の発光色を指定するカラーポイントＰの発光色として認識するが、この状態で何れかのＬＥＤ１のピーク波長における発光出力が大きすぎると、ユーザーの目や脳に悪影響を与えることがある。困ったことに、ユーザーは、照明装置の発光色を、入力装置３で指定するカラーポイントＰの発光色と認識する状態で、いずれかのＬＥＤ１の特定のピーク波長の発光ピークが大きすぎても、強すぎる発光ピークが目や脳に悪影響を与えると直ちに認識することはない。ユーザーは、トータル発光色の光として感じるのであって、ＬＥＤ１が狭いバンドスペクトルで大きい発光ピークの光を放射しても、この発光ピークの光のみを感じることはなく、トータル発光色の光として認識するからである。このため、トータル発光色を指定するカラーポイントの発光色に調整する状態で、特定のＬＥＤの発光ピークがユーザーの目や脳に悪影響を与えることがある。例えば、青色ＬＥＤの青色発光ピークは、人間の目における視感度が低く、明るい用途で使用される状態では、発光出力を大きくして、白色などに指定されるカラーポイントの発光色に調整する必要がある。この状態で、ユーザーは照明装置の発光色を白色と感じて、青色発光ピークを強く感じることはなく、青色発光ピークが強くなりすぎて目や脳に悪影響を与えることがある。
【００３２】
以上の弊害を防止するために、図１の照明装置は、ＬＥＤ１のピーク波長における最大出力を制限するリミッター信号を出力するリミッター回路５を制御回路２に設けている。制御回路２は、カラーポイントＰを示すｘ値とｙ値に加えて、リミッター回路５から出力されるリミッター信号の両方で各ＬＥＤ１の発光出力をコントロールして、トータル発光色を特定のカラーポイントに調整する。制御回路２は、リミッター回路５に記憶しているリミッター信号を演算回路４に出力して、演算回路４でもって、各ＬＥＤ１の発光ピークが最大出力を越えないように制御データを演算し、この制御データで各ＬＥＤ１の発光をコントロールする。リミッター回路５が、特定のＬＥＤ１の発光ピークの最大出力を制限する状態においては、制御回路２は、トータル発光色を指定されるカラーポイントとしながらトータル発光出力を制限し、あるいは、トータル発光色を指定されるカラーポイントから多少ずれた発光色に調整する。この制御回路２は、入力される用途に対応して、トータル発光色を指定されるカラーポイントとしながらトータル発光出力を制限し、あるいは、トータル発光色を指定されるカラーポイントから多少ずれた発光色に調整する。たとえば、トータル発光色を重点として発光出力を制限できる用途、たとえば自宅で休養する休養環境で使用される用途にあっては、トータル発光色を重点として発光出力を制限し、オフィス環境や学習環境にあっては、トータル発光色をカラーポイントからずれた発光色に調整して発光出力を制限しない。
【００３３】
図１の照明装置は、種々の用途に対応する各ＬＥＤ１のリミッター信号をリミッター回路５に記憶させる。照明装置の用途は、入力装置３に設けている用途入力器７から入力される。リミッター回路５は、たとえば照明装置をオフィスで使用するオフィス環境、学校や自宅において学習するときに使用する学習環境、自宅で休養する休養環境などにおいて、最適なリミッター信号を記憶している。たとえば、オフィス環境や学習環境においては、休養環境に比較して、ＬＥＤ１の発光ピークの最大出力を大きく設定して、仕事や学習能率を高くし、休養環境にあってはＬＥＤ１の発光ピークの最大出力を低くして、ユーザーの目や脳の悪影響をより少なくすることができる。ＬＥＤ１の発光ピークの最大出力を用途に最適な値とする照明装置は、ユーザーの目や脳の刺激をより効果的に防止しながら、トータル発光色を指示されるカラーポイントに調整できる。演算回路４は、カラーポイントＰのｘ値とｙ値に加えて、リミッター回路５から入力されるリミッター信号で各ＬＥＤ１の発光出力を制限するように制御データを演算する。図１の制御回路２は、種々の用途に対応して演算回路４で演算されたシーンデータを記憶するシーンメモリ１６を備えている。この制御回路２は、用途入力器７から用途が入力されると、その用途に対応するシーンデータがシーンメモリ１６から読み出されて制御データが演算されてドライバー回路６に出力され、ドライバー回路６は、入力される制御データで各ＬＥＤ１の発光出力をコントロールする。
【００３４】
さらに、図１の照明装置は、入力装置３に用途入力器７を設けているが、図１に示すようにインターフェース回路１７を介して別に設置されるパソコン、専用端末、携帯電話等の外部接続機器１８に接続して、外部接続機器１８からカラーポイント、発光出力、用途等を入力することもできる。
【００３５】
図１の制御回路２は、演算回路４から出力される制御信号で各ＬＥＤ１の発光出力を調整するドライバー回路６を備える。ドライバー回路６は、演算回路４から入力される制御信号でＬＥＤ１に流す電流をコントロールして、ＬＥＤ１の発光出力をコントロールする。制御信号は電圧信号又は電流信号で、ドライバー回路６はバイポーラトランジスタやＦＥＴで、入力される制御信号でＬＥＤ１の電流をコントロールして発光出力をコントロールする。ＦＥＴのドライバー回路は、制御信号を電圧信号としてＬＥＤ１の電流をコントロールし、バイポーラトランジスタのドライバー回路は制御信号を電流信号として発光出力をコントロールする。
【００３６】
さらに、図１の照明装置は、光出力検出回路１４で検出されるトータル発光色を入力装置３から入力されるカラーポイントに比較して、複数のＬＥＤ１のトータル発光色を入力装置３から入力されるカラーポイントに補正するフィードバック回路を制御回路２に設けている。この照明装置は、光出力検出回路１４で検出されるトータル発光色でカラーポイントを補正するので、複数のＬＥＤ１のトータル発光色を、より正確にカラーポイントにできる。この照明装置は、制御回路２に設けた演算回路４でもって、光出力検出回路１４で検出されるトータル発光色を入力装置３から入力されるカラーポイントに比較して、トータル発光色がカラーポイントとなるように各ＬＥＤ１の発光出力を演算する。トータル発光色をカラーポイントに補正する状態においても、演算回路４は、リミッター回路５から入力されるリミッター信号と光出力検出回路１４から入力されるトータル発光色の両方演算して、各ＬＥＤ１のピーク波長が最大出力を越えないように各ＬＥＤ１の発光出力を演算する。
【００３７】
入力装置３は、色度図１３をフルカラーで表示しているカラー表示部８と、このカラー表示部８に表示される色度図１３のカラーポイントＰを指定するカラーポイント指示具９と、このカラーポイント指示具９で指示された色度図のカラーポイントＰのｘ値及びｙ値とを検出して制御回路２に出力する出力回路１０とを備える。
【００３８】
この入力装置３は、カラーポイント指示具９を、カラー表示部８に表示される色度図１３の特定のカラーポイントＰに接触させ、あるいは押圧し、あるいはまた、光を照射して、指定するカラーポイントＰのｘ値とｙ値を検出する。カラー表示部８は、デジタイザ、タッチパネル、フォトセンサ、あるいは抵抗値でアドレスを表す抵抗センサーなどの表面にフルカラーを印刷したもの、あるいはモニタにフルカラーの色度図を表示するもので、カラーポイント指示具９が接触し、あるいは押圧し、あるいはまた、光が照射される位置を検出する位置センサ１１を備える。
【００３９】
図１に示すカラー表示部８は、表面に色度図１３の全体を表示しているが、カラー表示部は、図示しないが、色度図の一部を拡大して表示し、あるいは色度図を複数に分割して表示することもできる。さらに、カラー表示部は、図２に示すように、朝から昼、さらに昼から夜の発光色を表示して、ユーザーが朝から夕方までの発光色に調整することもできる。カラー表示部をデジタイザやタッチパネルとする入力装置は、カラーポイント指示具で押圧され、あるいはタッチされる位置を検出して出力回路に出力して、出力回路でｘ値とｙ値とを検出する。カラー表示部をフォトセンサとする入力装置は、カラーポイント指示具からカラー表示部に表示される色度図の特定位置に光を照射し、フォトセンサで光の照射位置を検出し、この位置信号から出力回路でもってｘ値とｙ値とを検出して制御回路に出力する。さらに、入力装置は、カラーポイント指示具９に、カラー表示部８の色度図からの反射光を検出するフォトセンサを内蔵するものも使用できる。このカラーポイント指示具９は、色度図の特定位置を指定し、色度図の指定位置からの反射光の赤成分(R)と緑成分(G)と青成分(B)を検出するフルカラーのフォトセンサを内蔵する。この入力装置は、カラーポイント指示具９に内蔵するフルカラーのフォトセンサで検出する反射光からｘ値とｙ値とを座標値として制御回路に出力する。さらに、以上の入力装置は、カラーポイント指示具９のフォトセンサで検出する赤成分(R)と緑成分(G)と青成分(B)を座標値として制御回路に出力することもできる。この入力装置は、カラー表示部に、押圧位置やタッチ位置を検出するセンサ、あるいは光が照射される位置を検出するセンサを設ける必要がなく、平面プレートの表示に色度図を表示する簡単な構造にできる。また、カラー表示部にはフルカラーで色度図を表示するモニタなども使用できる。
【００４０】
出力回路１０は、位置センサ１１から入力される信号からｘ値とｙ値とを演算して制御回路２に出力する。出力回路１０は、位置センサ１１から入力される位置信号をｘ値とｙ値に変換するデータをあらかじめルックアップテーブルや関数として記憶しており、入力される位置信号からｘ値とｙ値を演算して、制御回路２に出力する。
【００４１】
さらに、図１の入力装置３は、照明装置を使用する用途を入力する用途入力器７と、トータル発光強度を入力する発光出力入力器１２を備える。用途入力器７は、用途別に設けた複数の押しボタンスイッチ７Ａで、各押しボタンスイッチ７Ａに用途を表示している。各押しボタンスイッチ７Ａはリミッター回路５に接続されて、リミッター回路５に照明装置の用途を特定する信号を出力する。押しボタンスイッチ７Ａは、ノンロックボタンで、短く押されるとオン信号を出力して、リミッター回路５に用途を特定するを信号を出力する。押しボタンスイッチ７Ａの信号は演算回路４にも伝送される。
【００４２】
表示部１５の表示をユーザーが確認して、ＬＥＤの発光色や発光強度を変更する照明装置は、押しボタンスイッチを長押しして、押しボタンスイッチを長押しする状態におけるＬＥＤの発光色と発光強度とをシーンメモリに記憶することができる。この照明装置は、長押しした押しボタンスイッチを短く押して、シーンメモリに記憶する発光色と発光強度に調整できる。複数の押しボタンスイッチを備える照明装置は、各々の押しボタンスイッチを長押しして、ユーザーが自分に最適な発光色と発光強度とに調整できる。
表示部１５で変更されたデータが既に記録されているシーンメモリー１６のデータと一致した場合には、該当する押しボタンスイッチ７Ａをタリー情報として点灯することもできる。また、制御項目は少なくなるがロックボタンを使用することもできる。
押しボタンスイッチ７Ａは、複数接点のロータリースイッチ、デイップスイッチ、スライドスイッチなども使用でき、そのタリー情報としてＬＥＤランプを使用することもできる。
【００４３】
発光出力入力器１２は、回転数や回転角、あるいは直線移動する位置などを検出して電気信号として出力する機器である。この発光出力入力器１２は、ロータリエンコーダ、可変抵抗器、あるいは回転数、回転角、スライド位置を検出してデジタル信号を出力する入力器である。ただ、この発光出力入力器１２は、図示しないが、発光出力を増加させるための押しボタンスイッチと、低下させるための押しボタンスイッチで構成することもできる。押しボタンスイッチの発光出力入力器は、何れかのボタンを押すごとに、特定の比率で、発光出力を増加し、あるいは減少して、トータル発光出力を特定する。押しボタンスイッチの発光出力入力器は、入力されるトータル発光色の表示部（図示せず）を設けて、入力するトータル発光色を表示する。
【００４４】
以上の照明装置は、以下の状態で使用される。
１．ユーザーが用途入力器７から照明装置を使用する用途を入力する。また、発光出力入力器１２からトータル発光出力を入力する。入力される用途とトータル発光出力を特定する信号が制御回路２に入力される。
２．さらに、ユーザーが、カラーポイント指示具９でカラー表示部８に表示される色度図のカラーポイントＰを指定すると、指定されるカラーポイントＰのｘ値とｙ値とが制御回路２に出力される。
【００４５】
１．制御回路２は、演算回路４でもって、入力装置３から入力される用途と、トータル発光出力と、指示されるカラーポイントＰを特定するｘ値及びｙ値と、リミッター回路５から入力されるリミッター信号から制御データを演算し、この制御データをドライバー回路６に出力して、各ＬＥＤ１を演算された発光出力で点灯する。演算回路４にシーンメモリ１６を接続している制御回路２は、シーンメモリ１６に記憶するシーンデータを読み出して制御データを演算する。演算回路４が演算する制御データで点灯される、各ＬＥＤ１のピーク波長における最大出力が、リミッター回路５にリミッター信号で指定される値よりも小さい状態にあると、リミッター信号でＬＥＤ１の発光出力を制限することなく、各ＬＥＤ１は演算された制御データの発光出力で点灯される。
【００４６】
さらに、演算回路４は、トータル発光色とトータル発光出力とが、入力装置３で指定される発光色と発光出力となるように各ＬＥＤ１の発光出力を調整すると、何れかのＬＥＤ１のピーク波長における発光出力が、リミッター信号で指定される値を超えるときには、ＬＥＤ１のピーク波長における発光出力がリミッター信号で指定される値を超えないように、制御データを演算して、この制御データで発光出力を制限して各ＬＥＤ１を点灯する。
【００４７】
各ＬＥＤ１を点灯する状態で、光出力検出回路１４がトータル発光色を検出して制御回路２にフィードバックする。制御回路２の演算回路４は、フィードバック回路から入力される信号、すなわち輝度レベルを含むトータル発光色のｘ値とｙ値を、あるいはＲＧＢの値を、入力装置３から入力される発光強度とカラーポイントのｘ値とｙ値、あるいはＲＧＢの値に比較し、輝度レベルを含むトータル発光色をカラーポイントのｘ値とｙ値、あるいはＲＧＢの値となるように各ＬＥＤ１の発光出力を制御して補正する。
【００４８】
さらに、照明装置は、カラーポイントＰを正確に指定する必要のない用途において、トータル発光色とトータル発光出力とを入力装置３から入力される発光色と発光出力に調整すると、何れかのＬＥＤ１のピーク波長の発光出力がリミッター信号で指定される値を超えるときは、演算回路４は、トータル発光色を入力装置３で指定されるカラーポイントＰからわずかに変化させ、あるいはまた、トータル発光出力を制限しながら、トータル発光色を指定されるカラーポイントＰからわずかに変化させる制御データを演算し、この制御データで、各ＬＥＤ１の発光出力を調整する。
【００４９】
図１の照明装置は、入力装置３を制御回路２にリード線を介して接続して、リード線を介して入力装置３の信号を制御回路２に伝送する。図１に示すようにインターフェース回路１７を介して外部接続機器１８を接続する照明装置は、インターフェース回路１７を介して外部接続機器の信号を制御回路に無線伝送することもできる。無線伝送する外部接続機器１８の入力装置は、色度図をフルカラー表示できる携帯電話やスマートフォンを使用できる。入力装置に使用される外部接続機器１８の携帯電話やスマートフォンは、表示部にフルカラーで色度図を表示し、ユーザーが指定する色度図の位置を検出し、検出する位置からカラーポイントのｘ値とｙ値とを検出して、制御回路に無線伝送する。携帯電話やスマートフォンは、表示部にフルカラーの色度図を表示し、また、色度図の指定位置からｘ値とｙ値とを検出するソフトウエアをメモリに記憶している。入力装置に兼用される携帯電話やスマートフォンは、かならずしも出力回路を設ける必要はなく、出力回路を制御回路側に設けて、カラーポイントの位置信号を出力回路に無線伝送し、出力回路が位置信号からｘ値とｙ値と、指定される発光強度とを検出して、制御回路に出力することができる。この照明装置は、携帯電話やスマートフォンでｘ値とｙ値と指定する発光強度とを検出するソフトウエアをメモリに記憶させる必要がない。携帯電話やスマートフォンを入力装置に併用する照明装置は、離れた位置からＬＥＤのトータル発光色をコントロールして便利に使用できる。
【産業上の利用可能性】
【００５０】
本発明の照明装置は、発光色が異なる複数のＬＥＤの発光出力をコントロールして、種々の発光色にコントロールする照明装置として好適に使用できる。
【符号の説明】
【００５１】
１…ＬＥＤ；１ａ…赤色ＬＥＤ；１ｂ…緑色ＬＥＤ；１ｃ…青色ＬＥＤ；１ｄ…白色ＬＥＤ
２…制御回路
３…入力装置
４…演算回路
５…リミッター回路
６…ドライバー回路
７…用途入力器；７Ａ…押しボタンスイッチ
８…カラー表示部
９…カラーポイント指示具
１０…出力回路
１１…位置センサ
１２…発光出力入力器；１２Ａ…ダイアル
１３…色度図
１４…光出力検出回路
１５…表示部
１６…シーンメモリ
１７…インターフェース回路
１８…外部接続機器
１９…拡散板
Ｐ…カラーポイント
【図２】
2015060270.tif 000003
【図４】
2015060270.tif 000004
【図１】
2015060270.tif 000005
【図３】
2015060270.tif 000006
【国際調査報告】
2015060270.tif 000007
2015060270.tif 000008
2015060270.tif 000009
2015060270.tif 000010